(57)【要約】【課題】生ゴミをディスポーザで粉砕し、この生ゴミを簡単に肥料として利用することができ、しかも、環境に良く設備コスト及び生ゴミを処理する費用も安価な処理システムを提供する。【解決手段】ディスポーザ６により粉砕した生ゴミを直接、地中に注入する排出注入手段を設ける。【選択図】      図１
2004223463.tif 000002
【特許請求の範囲】
【請求項１】
ディスポーザ（６）により粉砕した生ゴミを直接、地中に注入する排出注入手段が設けられていることを特徴とする生ゴミ処理システム。
【請求項２】
前記排出注入手段は、前記ディスポーザ（６）に枝管（７）の一端を接続し、ディスポーザ（６）で粉砕した生ゴミをディスポーザ（６）内から枝管（７）に送液し、この枝管（７）内の生ゴミを枝管（７）の他端から地中へ注入させるものであることを特徴とする請求項１に記載の生ゴミ処理システム。
【請求項３】
前記ディスポーザ（６）に、内部を洗浄する洗浄ノズル（１８）が設けられていることを特徴とする請求項２に記載の生ゴミ処理システム。
【請求項４】
前記枝管（７）は、中途部から複数に分岐する分岐管（３１）で構成されて、この分岐管（３１）の先端は地中に埋設されており、前記枝管（７）の中途部から分岐管（３１）に分岐する分岐部分に流れを切り換える第１切替弁（３０）が設けられており、
前記第１切替弁（３０）は、枝管（７）内の粉砕した生ゴミが所定時間毎ごとに所定の分岐管（３１）へ流れるように切り替わることを特徴とする請求項２又は３のいずれかに記載の生ゴミ処理システム。
【請求項５】
流し台（２）の排水口（３）と下水道管（４）とを連通させる排水管（５）の中途部にディスポーザ（６）が接続され、このディスポーザ（６）に枝管（７）の一端が接続され、枝管（７）の他端は、地中に埋設されている生ゴミ処理システムであって、
前記流し台（２）から排出される一般排水はディスポーザ（６）を介して下水道管（４）へ排出されると共に、流し台（２）から排出される生ゴミはディスポーザ（６）で粉砕しディスポーザ（６）内から直接枝管（７）に送液し、枝管（７）の他端から地中に注入されることを特徴とする生ゴミ処理システム。
【発明の詳細な説明】
【０００１】
【発明の属する技術分野】
本発明は、生ゴミをディスポーザでスラリー化し、その生ゴミを処理する生ゴミ処理システムに関するものである。
【０００２】
【従来の技術】
従来より、流し台から排出された生ゴミをディスポーザでスラリー化し、この生ゴミを処理する生ゴミ処理システムとして、特許文献１に開示されているものがある。この生ゴミ処理システムは、流し台シンクから廃棄された生ゴミを細かく粉砕するディスポーザと、粉砕された生ゴミ等の固体物と台所排水等の液体物との混合物がディスポーザから投入されて貯留される貯留槽に流量調整機能を備えた流量調整槽と、混合物を固形物と液体物とに分離する固液分離装置と、液体物が貯留されて液体物の浄化処理を行う水処理装置と固形物の堆肥化処理を行う固体物処理装置と、これら生ゴミ処理システムの動作を制御する制御装置等を有している。
【０００３】
この生ゴミ処理システムでは、ディスポーザでスラリー化した生ゴミを固液分離装置で固形物と液体物とに分離した後、液体物を水処理装置で浄化すると共に、固形物を固体物処理装置で堆肥化処理するようにしている。そして、水処理装置で浄化された液体物は下水等に排出されるようになっており、堆肥化された固形物は肥料等に使用できるようになっている。
【０００４】
【特許文献１】
特開２０００−２４６３２号公報
【０００５】
【発明が解決しようとする課題】
しかしながら、従来の生ゴミ処理システムではディスポーザでスラリー化した生ゴミを処理するのに、固液分離装置や水処理装置等を設けなければならず、生ゴミ処理システムの設備コストが高価になるという問題があった。
また、生ゴミによって堆肥化された肥料を利用するには、この肥料を人手によって固体物処理装置から取り出し、さらに、地中等に散布する必要があった。
さらに、この生ゴミ処理システムでは、液体物を水処理装置で浄化して下水等に排出されるようになっているが、この浄化された液体物は最終的に公共の下水処理施設等で再処理されることとなり、下水処理施設に負担をかけることとなる。
【０００６】
そこで、本発明は、上記問題点に鑑み、生ゴミをディスポーザで粉砕し、この生ゴミを簡単に肥料として利用することができ、しかも、環境に良く設備コストも安価な生ゴミ処理システムを提供することを目的とする。
【０００７】
【課題を解決するための手段】
この技術的課題を解決するための本発明の請求項１の技術的手段は、ディスポーザ６により粉砕された生ゴミを地中に注入する排出注入手段が設けられている点にある。
本発明の請求項１の技術的手段によれば、ディスポーザ６によって粉砕した生ゴミを地中に注入（排出）するようにしているので、この生ゴミ内の有機物は地中にいる微生物（土壌菌、消化菌）により環境に対して問題のないものに分解されて処理されるようになり、固液分離装置や水処理装置等の設備を用いなくても生ゴミを処理することができる。例えば、デンプンを微生物により分解した場合は、化学式１のようになる。
【０００８】
【化１】
2004223463.tif 000003
【０００９】
また、地中に注入された生ゴミは、土の栄養分となりるのでこの生ゴミを肥料としても利用することができる。
【００１０】
本発明の請求項２の技術的手段の、前記排出注入手段は、前記ディスポーザ６に枝管７の一端を接続し、ディスポーザ６で粉砕した生ゴミをディスポーザ６内から枝管７に送液し、この枝管７内の生ゴミを枝管７の他端から地中へ注入させることを特徴としている。
本発明の請求項２の技術的手段によれば、ディスポーザ６内の粉砕した生ゴミを枝管７に送液することでその生ゴミを地中へ注入することがでる。
【００１１】
本発明の請求項３の技術的手段は、前記ディスポーザ６に、内部を洗浄する洗浄ノズル１８を設けたことを特徴としている。
本発明の請求項３の技術的手段によれば、この洗浄ノズル１８によってディスポーザ６内を洗浄することができるので、ディスポーザ６内を清潔にすることができ、さらに、枝管７の詰まりも防止することができる。
【００１２】
本発明の請求項４の技術的手段は、前記枝管７は、中途部から複数に分岐する分岐管３１で構成されて、この分岐管３１の先端は地中に埋設されており、前記枝管７の中途部から分岐管３１に分岐する分岐部分に流れを切り換える第１切替弁３０が設けられており、前記第１切替弁３０は、枝管７内の粉砕した生ゴミが所定時間毎ごとに所定の分岐管３１へ流れるように切り替わることを特徴としている。
本発明の請求項４の技術的手段によれば、枝管７を複数に分岐することによって、様々な場所に生ゴミを分岐管３１から地中へ注入することができ、しかも、所定時間毎に第１切替弁３０を切り換えることによって所定の場所に所定時間、生ゴミを注入することができる。
【００１３】
本発明の請求項５の技術的手段は、流し台２の排水口３と下水道管４とを連通させる排水管５の中途部にディスポーザ６が接続され、このディスポーザ６に枝管７の一端が接続され、枝管７の他端は地中に埋設されている生ゴミ処理システムであって、前記流し台２から排出される一般排水はディスポーザ６を介して下水道管４に排出されると共に、流し台２から排出される生ゴミはディスポーザ６で粉砕されてディスポーザ６内から直接枝管７に送液されて、枝管７の他端から地中に注入されることを特徴としている。
【００１４】
本発明の請求項５の技術的手段によれば、ディスポーザ６によって粉砕した生ゴミを地中に注入（排出）するようにしているので、この生ゴミ内の有機物は地中にいる微生物（土壌菌、消化菌）により環境に対して問題のないものに分解されて処理されるようになり、固液分離装置や水処理装置等の設備を用いなくても生ゴミを処理することができる。また、地中に注入された生ゴミは、土の栄養分となりるのでこの生ゴミを肥料としても利用することができる。さらに、下水道管４に生ゴミが流出することなく生ゴミだけを地中に注入することができる。言い換えれば、一般排水だけを下水道管４に流すことができる。
【００１５】
【発明の実施の形態】
以下、本発明の実施の形態を図面に基づいて説明する。
図１〜６は本発明の第１の実施の形態を示している。
このうち図１は、例えば一戸建ての住宅に設置された生ゴミ処理システムの構成図である。
図１において生ゴミ処理システム１は、流し台２と、この流し台２の排水口３に接続されて下水道管４に連通する排水管５と、この排水管５の中途部に接続されたディスポーザ６と、このディスポーザ６に接続される枝管７等から構成されている。また、この生ゴミ処理システム１には、後述するようにディスポーザ６で粉砕した生ゴミを直接、地中に注入する排出注入手段が設けられている。
【００１６】
このディスポーザ６は、ケーシング９と、生ゴミを粉砕する回転切板１０（粉砕部）と、この回転切板１０を回転させる駆動モータ１１と、押出しブレード１２（ポンプ）と、制御部１３とから構成されている。
ケーシング９は、有底の円筒形又は角筒形に形成されており、ケーシング９内の中空部には、生ゴミを粉砕する粉砕室１４が設けられている。この粉砕室１４の側壁には生ゴミを導入する導入口１５が貫設され、この導入口１５には流し台２から延びる排水管５ａが接続されており、流し台２の排水口３から投入された生ゴミは、排水管５ａを介して粉砕室１４に流入されるようになっている。
【００１７】
また、粉砕室１４は、一度（１日）に生ゴミを粉砕できる許容量が決められており、例えば、４人家族の場合であれば一日あたり、概ね７００グラム程度の生ゴミが出るので、この場合、７００グラム程度の生ゴミが粉砕できる容積とされている。一般的な固形状の生ゴミの成分としては、水分約８０％、有機物１７％無機物３％である。
【００１８】
粉砕室１４の上方には、排水室１６が設けられており、この排水室１６の側壁には、一般排水（生ゴミを除く排水）が排出される排水口１７が貫設されている。また、この排水室１６には、ディスポーザ６内を洗浄する洗浄ノズル１８が設けられいる。
【００１９】
排水室１６の排水口１７には、下水道管４から延びる排水管５ｂが接続されており、流し台２から排出された一般排水は、ディスポーザ６の粉砕室１４及び排水室１６を介して排水管５ｂに流れ、下水道管４に排出されるようになっている。
【００２０】
排水室１６内の洗浄ノズル１８は、給水管１９を介して水道管２０に接続されている。給水管１９の中途部には、例えば電磁弁から構成された第１止水弁２１が設けられており、この第１止水弁２１はディスポーザ６の制御部１３に電気的に接続され、制御部１３の信号によってこの第１止水弁２１が開閉するようになっている。
【００２１】
粉砕室１４の下方には、ポンプ室２２が設けられており、このポンプ室２２の側壁には吐出口２３が貫設されている。そして、この吐出口２３には枝管７（枝管７の一端）が接続されており、ポンプ室２２にある生ゴミを枝管７に送液するようになっている。
【００２２】
回転切板１０（粉砕部）は、粉砕室１４に設けられており、駆動モータ１１の回転軸２６の中途部に連結されている。そして、駆動モータ１１の回転によって回転切板１０が回転し粉砕室１４の生ゴミを粉砕し、生ゴミをスラリー化するようになっている。
【００２３】
押出しブレード１２（ポンプ）は、ポンプ室２２に設けられており、駆動モータ１１の回転軸２６の先端部に連結されている。そして、押し出しブレード１２の回転によってポンプ室２２の生ゴミが吐出口２３側へ押し出されるようになっている。
【００２４】
駆動モータ１１は、ケーシング９の上部に設けられており、制御部１３によって回転したり停止したり制御されるようになっている。
【００２５】
流し台２は、例えば住宅の台所に設置されており、この流し台２の近傍には、ディスポーザ６の駆動モータ１１を駆動させるスイッチ２７が設けられている。このスイッチ２７は電気的にディスポーザ６の制御部１３に接続されている。また、流し台２の近傍には、水道管２０に接続された水道蛇口２８が設けられており、この水道管２０の中途部には第２止水弁２９が設けられている。
【００２６】
この第２止水弁２９は、例えば電磁弁から構成されており、ディスポーザ６の制御部１３に電気的に接続されて、制御部１３の信号によって第２止水弁２９が開閉できるようになっている。
【００２７】
枝管７は、金属又は樹脂等から形成されており、枝管７の一端はディスポーザ６の吐出口２３に接続され、枝管７の他端は地中に埋設され、枝管７の中途部には、流体の流れを切り換える第１切替弁３０が設けられている。この枝管７は第１切替弁３０から複数に分岐するようになっており、複数に分岐した配管は分岐管３１とされている。分岐管３１の先端部（枝管７の他端）の周部には、スラリー化した生ゴミが注入（排出）できるように注入口３２が設けられており、この注入口３２が地中に埋まるように分岐管３１の先端部は埋設されるようになっている。ここにおいて、注入口３２の深さは、例えば２００ｍｍ〜３００ｍｍが好ましい。
【００２８】
また、それぞれの分岐管３１（枝管７の他端）を埋設する場所としては、例えば住宅内の庭や畑などの樹木や植物を育てる場所が最適であり、各分岐管３１の先端部は所定の間隔で、例えば花壇の地中に埋設されている。また、各分岐管３１は微生物（土壌菌、消化菌）の多い地中に埋設するのが好ましく、これにより、地中に注入された生ゴミを微生物によってすばやく環境の良い物に分解することができる。
【００２９】
ディスポーザ６から下水道管４に至る排水管５ｂには、逆臭防止機構３５が設けられている。この逆臭防止機構３５には、一般排水が一時的に溜まる貯留部３６が形成されており、一般排水はこの貯留部３６を流動して下水道管４に放流（排出）される。したがって、貯留部３６に貯留している一般排水が水封シールとなり悪臭がディスポーザ６側に流れないようになっている。
【００３０】
図２に示すように、ディスポーザ６の粉砕室１４と排水室１６とは、板状のプレートに多数の貫通孔を貫設して構成した第１パンチプレート２４で仕切られており、粉砕室１４とポンプ室２２とは、第１パンチプレートと同様に構成した第２パンチプレート２５で仕切られている。第１パンチプレート２４の貫通孔の互いの間隔又は貫通孔の大きさは、第２パンチプレート２５よりも一般的には小さくなっている。
【００３１】
この第１パンチプレート２４は、粉砕室１４の生ゴミを粉砕室１４から排水室１６へ流れないように、細かく切り落とされた固形状の生ゴミをガード（遮断）するものであり、この第１パンチプレート２４によって固形状の生ゴミが下水道管４側へ流れないようになっている。
なお、この第１パンチプレート２４は、細かく切り落とされた固形状の生ゴミをガード（遮断）すればよく、メッシュの細かい網状のものであってもその他のものであってもよい。
これにより、粉砕室１４で粉砕された生ゴミは、第２パンチプレート２５を通過してポンプ室２２のみに流れるようになっている。
【００３２】
図３に示すように、各分岐管３１の先端部には、各分岐管３１（枝管７）の注入口３２の詰まり防止をする逆流防止弁３３が設けられている。この逆流防止弁３３は、図３（ａ）に示すように、弁体３４と、この弁体３４を移動させる伸縮部材３５とから構成されており、この逆流防止弁３３によって注入した生ゴミが注入口３２に逆流しないようになっている。
【００３３】
伸縮部材３５は、例えばスプリングや密封形の蛇腹で構成されいる。弁体３４は、球状又は円柱状の合成樹脂等から形成されている。この逆流防止弁３３の作動は、スラリー化された生ゴミが分岐管３１に流入し、この生ゴミによって弁体３４に外圧がかかるとスプリング（伸縮部材３５）が収縮して弁体３４が下方に摺動するようになり、これにより、弁体３４の外周面が注入口３２を塞ぐことがなくなり（注入口３２が開放される）、生ゴミが注入口３２から地中へ注入（排出）するようになっている。
【００３４】
したがって、スラリー化された生ゴミを逆流防止弁３３に送液した場合は、分岐管３１（枝管７）の注入口３２から生ゴミが地中に注入され、送液が停止した場合は、注入した生ゴミ又は土が注入口３２に逆流しないようになっている。
【００３５】
なお、逆流防止弁３３は、図３（ｂ）に示すようなものであってもよい。この逆流防止弁３３は、分岐管３１（枝管７）の注入口３２を覆うように分岐管３１に連結する弁体３４（弾性被膜）を有しており、生ゴミが分岐管３１に送液されていない場合は、弾性被膜の弾性力によって注入口３２は閉鎖されており、生ゴミが分岐管３１に送液された場合は、生ゴミの圧力が弾性被膜の弾性力に打ち勝ち生ゴミが注入口３２から地中へ注入されるようになっている。
【００３６】
また、逆流防止弁３３は、図３（ｃ）に示すようなものであってもよい。この逆流防止弁３３は、筒状の弁体３４（弾性被膜）に注入口３２ａ（注入口３２）を設け、弁体３４（弾性被膜）内に生ゴミの流動を閉栓可能なボール栓体３４ａを設けているものである。生ゴミが分岐管３１に送液された場合は、生ゴミは弁体３４（弾性被膜）とボール栓体３４ａとの間を通過して注入口３２ａから注入されるようになっている。
【００３７】
図４〜６に示すように、第１切替弁３０は、第１筒体３６と、第２筒体３７（弁体）と、第２筒体３７を回転させる駆動モータ３８から構成されている。
第１筒体３６は、円柱状に形成されており、内部に第２筒体３７が設けられている。第１筒体３６の周方向の側壁には、第１排出口３９が周方向に一定の間隔で複数個（７個程度）貫設されており、他方の側壁には生ゴミ等を導入する第１導入口４０が設けられている。この第１導入口４０にディスポーザ６から第１切替弁３０に延びる枝管７が接続され、第１排出口３９には分岐管３１が接続されている。
【００３８】
第２筒体３７は、第１筒体３６と同心円である円柱状に形成されており、駆動モータ３８の回転軸に連結されて、第１筒体３６内で第１筒体３６に沿って周方向に一定の角度づつ回転又は停止するようになっている。駆動モータ３８の回転軸が連結されている部分と対向する第２筒体３７の側壁には、第１筒体３６の第１導入口４０に対応する位置に生ゴミ等を導入する第２導入口４１が設けられており、枝管７内の生ゴミが第１、２導入口４０、４１を介して第２筒体３７内に流入するようになっている。そして、第２筒体３７の周方向の側壁には、第２排出口４２が１箇所設けられており、第２排水口４２が第２筒体３７の回転により周方向に移動して第１筒体３６の第１排出口３９とこの第２排出口４２とが一致したとき、第２筒体３７内の生ゴミが第１，２排出口３９、４２を介して分岐管３１に流入するようになっている（第１切替弁３０としては開状態）。
【００３９】
また、第１排出口３９と第２排出口４２とが一致しない場合は、第２筒体３７内の生ゴミは第２筒体３７内に止まり分岐管３１に流入することがなく、第１切替弁３０は閉状態となっている。
【００４０】
第１切替弁３０の駆動モータ３８は、ディスポーザ６の制御部１３に電気的に接続されており、ディスポーザ６の制御部１３の信号に従って、一定の角度づつ回転又は停止するようになっている。
したがって、駆動モータ３８により第２筒体３７を回転させ、第２筒体３７の第２排出口４２を所定の第１排出口３９に一致させることによって、所定の分岐管３１に生ゴミを送液できるようになり、これにより、生ゴミの注入場所を変更することができる。
【００４１】
次に第１の実施の形態における生ゴミ処理システム１の動作について説明する。以下の説明において、初期状態（生ゴミ処理システム１が稼働していない場合）の生ゴミ処理システム１では、第２止水弁２９は開状態、第１止水弁２１及び第１切替弁３０は閉状態である。
まず、生ゴミを処理しない場合は、初期状態とされ、流し台２から排水された一般排水は、第１切替弁３０が閉状態となっているので枝管７に流れて地中に注入（排出）されることはなく、ディスポーザ６の粉砕室１４及び排水室１６を介して排出口１７から排出管５ｂに排出され、下水道管４等に放流（排出）されるようになっている。
【００４２】
一方、生ゴミを処理する場合は、流し台２の排水口３に挿入されている生ゴミバケット内の固形状の生ゴミ（肉、魚、穀物等の残飯）をディスポーザ６の粉砕室１４の許容量を超えない程度に投入する。そうすれば、固形状の生ゴミは排水管５ａを流動し、ディスポーザ６の導入口１５から粉砕室１４に流入する。そして、流し台２のスイッチ２７をＯＮにすると、ディスポーザ６の制御部１３に駆動信号Ｓ１が送られて制御部１３から第２止水弁２９に閉信号Ｓ２が送られ、第２止水弁２９は閉状態になると共に、制御部１３から第１切替弁３０に開信号Ｓ３が送られ、第１切替弁３０は開状態となる（初期状態が解除される）。そして、ディスポーザ６の駆動モータ１１が回転し、回転切板１０と押し出しブレード１２（ポンプ）が回転する。
【００４３】
したがって、ディスポーザ６が駆動した際、即ち、生ゴミ処理システム１が稼働した際に、第１、２止水弁１９、２９を閉状態にしているので、生ゴミ処理システム１稼働中は水道水２０がディスポーザ６の粉砕室１４に流れることはない。このため、粉砕室１４が水道水２０で溢れて粉砕した生ゴミの一部が排水室１６に流れる込むことを防止することができる。したがって、ディスポーザ６の駆動中は一般排水（手洗い等の排水）がディスポーザ６内に入ることを防止している。
【００４４】
そして、粉砕室１４に流入した固形状の生ゴミは、回転切板１０で粉砕されスラリー化、即ち、液体物と微細の固体物を含んだ混合物になる。そして、粉砕された生ゴミが第２パンチプレート２５の貫通孔よりも細かく粉砕されると、粉砕された生ゴミはポンプ室２２に流れ、ポンプ室２２にある押し出しブレード１２（ポンプ）により、吐出口２３から枝管７へ送液される。ディスポーザ６内から直接、枝管７に送液（吐出）された生ゴミは、第１切替弁３０に到達し、第１切替弁３０の所定の第１排出口３９から分岐管３１へ流れ込み、分岐管３１（枝管７）の注入口３２から地中へ注入される。
【００４５】
したがって、ディスポーザ６で粉砕された生ゴミは、押し出しブレード１２（ポンプ）によって送液されるので、排出口１７から下水道管４へ流れることはなく、吐出口２３から直接、枝管７へ送液され、この生ゴミが注入口３２から地中に注入されるようになる。
【００４６】
一方で、粉砕室１４内の生ゴミが少なくなり、駆動モータ１１の回転軸２６にかかる負荷が一定以下に下がると、ディスポーザ６の制御部１３から第１止水弁２１に開信号Ｓ３が送られ、洗浄ノズル１８から水道水が噴射されてディスポーザ６内が洗浄される。この洗浄された洗浄水（水道水と生ゴミの混合液）は、分岐管３１（枝管７）の注入口３２から地中に排出されるようになっている。そして、ある一定時間、ディスポーザ６内を洗浄すると、制御部１３から第１止水弁２１に閉信号Ｓ２が送られ、第１止水弁２１は閉状態となり、駆動モータ１１が自動的に停止してディスポーザ６内と枝管７の洗浄が完了する。その後、制御部１３から第２止水弁２９へ開信号Ｓ３、第１切替弁３０へ閉信号Ｓ２がそれぞれ送られ、第２止水弁２９は開状態、第１切替弁３０は閉状態となり、初期状態に戻るようになっている。
【００４７】
なお、第１切替弁３０は、生ゴミ処理システム１を駆動する度、又は、所定時間（例えば１日毎）に生ゴミの注入場所が切り替わるように切替られるようになっており、これにより、生ゴミを所定の場所に所定時間、注入することができる。
以上の構成により、排出注入手段は、ディスポーザ６に枝管７の一端を接続し、ディスポーザ６で粉砕した生ゴミをディスポーザ６内から枝管７に送液し、この枝管７内の生ゴミを枝管７の他端から地中へ注入させるものであり、これにより、ディスポーザ６で粉砕したゴミを地中に注入することができる。
【００４８】
また、ディスポーザ６で生ゴミを粉砕した後、ディスポーザ６内を洗浄ノズルで洗浄しているので、ディスポーザ６の駆動終了後に一般排水をディスポーザ６内に流しても、この一般排水が粉砕された生ゴミ（混合物）と混ざり合うこともなく、一般排水として問題なく下水道管に放流することができる。
この様に、生ゴミは地中にいる微生物により環境に対して問題のないものに分解されて処理されるようになるので環境に良く（例えば、生ゴミをゴミ収集のために、屋外のゴミ置き場に置くことがなくなるので、カラス等の公害が減少する）、設備コストも安い。また、生ゴミを樹木や植物を育てている花壇等に注入しているので、この生ゴミを肥料としても利用することができる。
【００４９】
また、流し台２から排出された一般排水はディスポーザ６を介して下水道管４に排出されると共に、流し台２から排出された生ゴミはディスポーザ６で粉砕してディスポーザ６内から直接枝管７に送液し、枝管７の他端から地中に注入するようにしているので、下水道管４に生ゴミが流出することもなく生ゴミだけを地中に注入することができる。言い換えれば、一般排水だけを下水道管４に流すことができる。
【００５０】
次に、本発明の第２の実施の形態について説明する。
図７は、第２の実施の形態を示している。この図７は、例えば、第１実施の形態と同様に、一戸建ての住宅に設置された生ゴミ処理システムの構成図である。
図７において、この生ゴミ処理システム１は、流し台２の排水口３と連結している排水管５の基端部にディスポーザ６を設け、ディスポーザ６と下水道管４との間に枝管７を分岐接続すると共に、この分岐部分に流れを切り換える第２切替弁５１を設け、粉砕された生ゴミがディスポーザ６から排出された際に第２切替弁５１を切替えてこの生ゴミを直接、枝管７に案内し、その生ゴミを枝管７の注入口３２から地中に注入させる生ゴミ処理システムである。
【００５１】
このディスポーザ６は、ケーシング９と、生ゴミを粉砕する回転切板１０（粉砕部）と、この回転切板１０を回転させる駆動モータ１１と、制御部１３とから構成されている。なお、回転切板１０及び駆動モータ１１は、第１の実施の形態と同様である。
ケーシング９は、上記と同様に有底の円筒形又は角筒形に形成されており、ケーシング９内の中空部には、生ゴミを粉砕する粉砕室１４が設けられている。この粉砕室１４の上方には生ゴミを導入する導入口１５が貫設され、この導入口１５は流し台２の排水口３と連通しており、流し台２の排水口３から投入された生ゴミは、粉砕室１４に流入されるようになっている。粉砕室１４の側壁には、排水口１７が貫設し、この排水口１７には下水道管４から延びる排水管５が接続しており、一般排水とディスポーザ６によって粉砕された生ゴミは、ディスポーザ６から排水管５に流れるようになっている。
【００５２】
水道管２０から流し台２の排水口３に連通する給水管１９が設けられ、この給水管１９の中途部には、第１止水弁２１が設けられている。また、流し台２には、感知センサ５２が設けられており、この感知センサ５２はディスポーザ６の制御部１３に電気的に接続されている。
【００５３】
第２切替弁５１は、ディスポーザ６の制御部１３に電気的に接続されており、制御部１３の信号により排水管５にある流体を下水道管４側に流したり、枝管７側に流すことができるようになっている。
【００５４】
枝管７の中途部（第１切替弁３０から第２切替弁５１までの間）には、ディスポーザ６内の粉砕された生ゴミを枝管７側に吸引し且つその生ゴミを枝管７の注入口３２に送液するポンプ５３が設けられており、このポンプ５３はディスポーザ６の制御部１３に電気的に接続され、制御部１３の信号により駆動又は停止するようになっている。
【００５５】
次に第２の実施の形態における生ゴミ処理システムの動作について説明する。
以下の説明において、初期状態（生ゴミ処理システムが稼働していない場合）の生ゴミ処理システム１では、第１止水弁２１は閉状態、第２切替弁５１は、排水管５の流体を下水道管４側（枝管７には流れない）に流すようになっており、第１切替弁３０は閉状態である。
まず、生ゴミを処理しない場合は、初期状態とされ、流し台２から排水された一般排水は、ディスポーザ６の粉砕室１４を介して下水道管４等に排水するようになっている。
【００５６】
一方、生ゴミを処理する場合は、流し台２の排水口３に固形状の生ゴミを投入してディスポーザ６の粉砕室１４に流入させる。そして、流し台２のスイッチ２７をＯＮにすると、ディスポーザ６の制御部１３に駆動信号Ｓ１が送られ、制御部１３から第２切替弁５１に切替信号Ｓ４が送られて第２切替弁５１が切り替わり、排水管５の流体は枝管７側（下水道管４側には流れない）に流れるようになると共に、制御部１３から第１切替弁３０に開信号Ｓ３が送られ、第１切替弁３０は開状態となる（初期状態が解除される）。そして、駆動信号Ｓ１によりディスポーザ６の駆動モータ１１が回転し、回転切板１０で生ゴミを粉砕すると同時に、ポンプ５３へ駆動信号Ｓ１が送られ、ポンプ５３が駆動する。
【００５７】
そして、ポンプ５３が駆動すると粉砕室１４で粉砕された生ゴミは、ポンプ５３の吸引力によって枝管７に案内されポンプ５３の吐出口から第１切替弁３０を介して分岐管３１の注入口３２へ送液され、生ゴミが地中へ注入される。
したがって、ディスポーザ６で粉砕された生ゴミは、ディスポーザ６内から直接、枝管７に流れ、この生ゴミが注入口３２から地中に注入されるようになっている。
【００５８】
一方で、生ゴミが粉砕され始めてから一定の時間が経過すると、ディスポーザ６の制御部１３から第１止水弁２１に開信号Ｓ３が送られ、水道水がディスポーザ６内に流入しディスポーザ６内が洗浄される。そして、ある一定時間、ディスポーザ６内を洗浄すると、制御部１３から第１止水弁２１に閉信号Ｓ２が送られ、第１止水弁２１が閉状態となり、ディスポーザ６とポンプ５３は停止し、ディスポーザ６内と枝管７の洗浄が完了する。その後、制御部１３から第２切替弁５１へ切替信号Ｓ４が送られ、排水管５の流体は下水道管４側に流れるようになると共に、第１切替弁３０に閉信号Ｓ２が送られ第１切替弁３０が閉状態となる（初期状態）
【００５９】
なお、第２の実施の形態におけるこの生ゴミ処理システム１では、ディスポーザ６が駆動している場合、流し台２内に手などを入れると感知センサ５２がその手を感知してディスポーザ６を一時的に停止させる、安全装置が設けられている。
【００６０】
また、上記以外の構成は第１の実施の形態と同様である。
本発明は、上記記載の第１、第２実施の形態に限定されることなく適宜に設計変更が可能である。
第１、２の実施の形態では、ディスポーザ６に生ゴミ処理システムを制御する制御部１３が設けられていたが、この制御部１３とディスポーザ６とを別体でそれぞれ構成してもよい。また、第１の実施の形態では、ディスポーザ６内にポンプ１２を設けディスポーザ６内の生ゴミを枝管７に送液していたが、これに代え、枝管７の中途部に第２の実施の形態のポンプ５３を設け、このポンプ５３により生ゴミを地中に注入するようにしてもよい。
【００６１】
さらに、第１の実施の形態では、ディスポーザ６が駆動した際に、ディスポーザ６内に水道水が流入しないようにすることで生ゴミが粉砕室１４から溢れて下水道管４に流れないようにしていたが、ディスポーザ６から下水道管４に延びる排水管５ｂの中途部に止水弁を設け、切替弁３０が開状態である場合には、この止水弁を閉状態にすると共に、切替弁３０が閉状態である場合には、止水弁を開状態にするように制御して（切替弁３０と止水弁との開閉が逆となるように制御する）、即ち、ディスポーザ６が駆動した場合には下水管４とディスポーザ６との連通を遮断するようにして、粉砕した生ゴミが下水道管４に流れないようにしてもよい。また、ディスポーザ６の排出口１７を開閉する止水弁をディスポーザ６内に設け、上記のように切替弁３０と止水弁との開閉が逆となるように制御して、ディスポーザ６が駆動した場合に生ゴミが下水道管４に流れないようにしてもよい。
【００６２】
また、第１の実施の形態では、ディスポーザ６が駆動した際に、第１、２止水弁１９、２１を閉状態にして水道水がディスポーザ６内に流入しないようにしていたが、この第１、２止水弁１９、２１を水量調整弁や絞り機構に代え、ディスポーザ６駆動中は、ディスポーザ６の粉砕室１４が溢れて排水室１６に生ゴミが流出しない程度に水量を調整するようにしてもよい。
【００６３】
【発明の効果】
本発明によれば、生ゴミを地中に排出するようにしているので、生ゴミを簡単に肥料として利用することができ、設備コスト及び生ゴミを処理する費用も安価であり、さらに、環境にも良い生ゴミ処理システムを提供することができる。
【図面の簡単な説明】
【図１】本発明の第１の実施の生ゴミ処理システムの構成図である。
【図２】同ディスポーザの内部の詳細図である
【図３】同のａ）逆流防止弁の正面図  ｂ）他の逆流防止弁の正面図  ｃ）他の逆流防止弁の正面図である。
【図４】同第１切替弁の斜視図である。
【図５】同第１切替弁の横断面図である。
【図６】同第１切替弁の縦断面図である。
【図７】本発明の第２の実施の生ゴミ処理システムの構成図である。
【符号の説明】
１    ゴミ処理システム
２    流し台
３    排水口
４    下水道管
５    排水管
６    ディスポーザ
７    枝管
１８  洗浄ノズル
３０  第１切替弁
３１  分岐管
【図１】
2004223463.tif 000004
【図２】
2004223463.tif 000005
【図３】
2004223463.tif 000006
【図４】
2004223463.tif 000007
【図５】
2004223463.tif 000008
【図６】
2004223463.tif 000009
【図７】
2004223463.tif 000010